(57)【要約】【課題】  前部を下段の瓦から浮かせて設置するのが容易な支持瓦の提供。【解決手段】  瓦葺きの屋根１の上に太陽電池を設置するために用いられる支持瓦２であって、前後方向の中央より前寄りの位置に雌ネジ孔３が貫通して設けてあり、雌ネジ孔３にボルト４が捩じ込んであり、ボルト４は、上部に工具１４で回転するための操作部５を有し、下部を屋根下地材１６に当接可能とした。【選択図】      図１
2013007174.tif 000002
【特許請求の範囲】
【請求項１】
瓦葺きの屋根の上に太陽電池を設置するために用いられる支持瓦であって、前後方向の中央より前寄りの位置に雌ネジ孔が貫通して設けてあり、雌ネジ孔にボルトが捩じ込んであり、ボルトは、上部に工具で回転するための操作部を有し、下部を屋根下地材に当接可能としたことを特徴とする支持瓦。
【請求項２】
ボルトの下部に首振り自在な当接部材を有することを特徴とする請求項１記載の支持瓦。
【請求項３】
ボルトに螺合するナットを支持瓦の表面側に有し、支持瓦の表面とナットとの間にパッキンを設けてあることを特徴とする請求項１又は２記載の支持瓦。
【発明の詳細な説明】
【技術分野】
【０００１】
本発明は、瓦葺きの屋根の上に太陽電池を設置する際に用いられる支持瓦に関する。
【背景技術】
【０００２】
瓦葺きの屋根の上に太陽電池を設置する際には、屋根の所々の位置に通常の瓦の代わりにアルミ鋳物製の支持瓦を設置し、支持瓦に棒状のラックを固定し、ラックに太陽電池を取付けている。支持瓦は、前側（軒側）の縁部が下段の瓦に載るようにラップして配置されるため、太陽電池の荷重により下段の瓦が割れるおそれがある。これを避けるために従来は、支持瓦の裏面に設けた突部と屋根下地材との間に楔を打ち込むことで、支持瓦の前部を下段の瓦の上面から３ｍｍ程度浮かせるようにしている（例えば、特許文献１参照）。
【０００３】
上記のように支持瓦の裏面側に楔を打ち込むのは非常に手間の掛かる作業であり、また作業者の熟練度により支持瓦の設置状況が大きく左右されることとなっていた。
【先行技術文献】
【特許文献】
【０００４】
【特許文献１】特開平９−１１９１９０号公報
【発明の概要】
【発明が解決しようとする課題】
【０００５】
本発明は以上に述べた実情に鑑み、前部を下段の瓦から浮かせて設置するのが容易な支持瓦の提供を目的とする。
【課題を解決するための手段】
【０００６】
上記の課題を達成するために請求項１記載の発明は、瓦葺きの屋根の上に太陽電池を設置するために用いられる支持瓦であって、前後方向の中央より前寄りの位置に雌ネジ孔が貫通して設けてあり、雌ネジ孔にボルトが捩じ込んであり、ボルトは、上部に工具で回転するための操作部を有し、下部を屋根下地材に当接可能としたことを特徴とする。
【０００７】
請求項２記載の発明による支持瓦は、請求項１記載の発明の構成に加え、ボルトの下部に首振り自在な当接部材を有することを特徴とする。
【０００８】
請求項３記載の発明による支持瓦は、ボルトに螺合するナットを支持瓦の表面側に有し、支持瓦の表面とナットとの間にパッキンを設けてあることを特徴とする。
【発明の効果】
【０００９】
請求項１記載の発明による支持瓦は、前後方向の中央より前寄りの位置に雌ネジ孔が貫通して設けてあり、雌ネジ孔にボルトが捩じ込んであり、ボルトは、上部に工具で回転するための操作部を有し、下部を屋根下地材に当接可能としたので、支持瓦の上方から工具でボルトを回転させ、ボルトの下部を屋根下地材に押付けることで、容易に支持瓦の前部を下段の瓦から浮かせられる。
【００１０】
請求項２記載の発明による支持瓦は、ボルトの下部に首振り自在な当接部材を有することで、支持瓦の傾きによらず支持瓦を安定して設置できる。
【００１１】
請求項３記載の発明による支持瓦は、ボルトに螺合するナットを支持瓦の表面側に有し、支持瓦の表面とナットとの間にパッキンを設けてあるので、支持瓦の上方からナットを締め付けることでボルトを固定でき、尚且つパッキンにより雌ネジ孔からの雨水の浸入を防止できる。
【図面の簡単な説明】
【００１２】
【図１】図２の支持瓦を屋根に設置した状態を示す縦断面図である。
【図２】本発明の支持瓦の一実施形態を示す斜視図である。
【発明を実施するための形態】
【００１３】
以下、本発明の実施の形態を図面に基づいて説明する。図２は本発明の支持瓦２の一実施形態を示す斜視図であり、図１はこの支持瓦２を屋根１に設置した状態を示す縦断面図である。本支持瓦２は、瓦葺きの屋根１の上に太陽電池を設置するために用いられるものであって、アルミの鋳物で屋根１の上に設置される他の平板瓦９と同じ大きさの平板状に形成してある。支持瓦２の表面の中央部には、太陽電池取付け用のラックを固定するための固定部１０が突出して形成してあり、固定部１０の周囲の４箇所に釘孔１１が設けてある。さらに、前後方向の中央より前寄りの位置の左右２箇所に雌ネジ孔３が貫通して設けてある。支持瓦２の一方の側縁部には、隣接する平板瓦９の裏面側に重なる重なり部１２が設けてある。
【００１４】
前記雌ネジ孔３には、図１に示すように、ボルト４が捩じ込まれる。ボルト４の下部には、ボールジョイント１３により首振り可能に連結した当接部材６が設けてあり、ボルト４の上端部には工具（マイナスドライバー）１４と係合する溝５が形成してあり、工具１４を溝５に係合してボルト４を回転させることで、ボルト４の突き出し長さを調節できるようになっている。ボルト４には、支持瓦２の表面側にナット７が螺合しており、ナット７を締め付けることでボルト４を固定できる。支持瓦２の表面とナット７との間にはパッキン８が介装してあり、パッキン８により雌ネジ孔３から雨水が浸入するのを防いでいる。
【００１５】
次に、本支持瓦２を屋根１の上に設置する手順を説明する。まず、野地板１５上の支持瓦２を設置する位置に固定板１６を配置し、釘１７で固定する。次に、瓦桟木１８に裏面側の突起１９を引っ掛けて支持瓦２を野地板１５上に配置し、釘孔１１から固定板１６及び野地板１５に木ネジ２０を打ち込み、支持瓦２を仮固定する。次に、ナット７を緩めた状態で支持瓦２の上方から工具１４でボルト４を回転させ、ボルト４下部の当接部材６を固定板１６に押付けることで、下段の平板瓦９の上面との間に３ｍｍ程度の隙間Ｓができるように、支持瓦２の前部を浮かせる。次に、ナット７を締め付けてボルト４を固定する。その後、木ネジ２０を締め付けて支持瓦２を固定する。
【００１６】
以上に述べたように本支持瓦２は、支持瓦２の上方から工具１４でボルト４を回転させ、ボルト４下部の当接部材６を固定板１６に押付けることにより、支持瓦２の前部を容易に下段の平板瓦９から浮かせられ、煩わしい楔の打ち込み作業を省くことができるので、支持瓦２の設置作業を容易化でき、作業時間も短縮できる。ボルト４下部に首振り自在な当接部材６を有しているため、支持瓦２の傾きによらず、支持瓦２に掛かる荷重をボルト４と当接部材６を介して固定板１６に安定して伝えることができ、支持瓦２の設置状態が安定する。さらに、支持瓦２表面とナット７との間にパッキン８を介装してあるため、貫通して設けた雌ネジ孔３からの雨水の浸入を防止できる。
【００１７】
本発明は以上に述べた実施形態に限定されない。支持瓦２の形状、材質は、適宜変更することができる。実施形態のものは、平板瓦の場合であったが、波形の桟瓦に適用することもできる。ボルト４下部に当接部材６を設けず、ボルト４の下端を屋根下地材１６に直接突き当てるようにすることもできる。
【符号の説明】
【００１８】
１  屋根
２  支持瓦
３  雌ネジ孔
４  ボルト
５  溝（操作部）
６  当接部材
７  ナット
８  パッキン
９  平板瓦（瓦）
１４  工具
１５  野地板（屋根下地材）
１６  固定板（屋根下地材）
Ｓ  隙間
【図１】
2013007174.tif 000003
【図２】
2013007174.tif 000004